(57)【特許請求の範囲】
【請求項１】
接着剤層と、第１の熱可塑性樹脂層と、第２の熱可塑性樹脂層と、基材フィルム層とをこの順に有し、
下記式（１）〜（４）の条件を満たし、
上記第１の熱可塑性樹脂層および上記第２の熱可塑性樹脂層は、エチレン・酢酸ビニル共重合体またはポリエチレンからなる、保護テープ。
（１）Ｇａ＞Ｇｂ
（２）Ｔａ＜Ｔｂ
（３）３．５Ｅ＋０５≦（Ｇａ×Ｔａ＋Ｇｂ×Ｔｂ）／（Ｔａ＋Ｔｂ）≦１．４Ｅ＋０６Ｐａ
（４）１．１Ｅ−０３≦Ｇｎ／Ｇａ≦１．２Ｅ−０２
（式（１）中、Ｇａは当該保護テープを貼付する貼付温度における第１の熱可塑性樹脂層の貯蔵剪断弾性率であり、Ｇｂは当該保護テープを貼付する貼付温度における第２の熱可塑性樹脂層の貯蔵剪断弾性率である。式（２）中、Ｔａは第１の熱可塑性樹脂層の厚みであり、Ｔｂは第２の熱可塑性樹脂層の厚みである。式（３）中、Ｇａ及びＧｂは式（１）中のＧａ及びＧｂと同義であり、Ｔａ及びＴｂは式（２）中のＴａ及びＴｂと同義である。式（４）中、Ｇｎは当該保護テープを貼付する貼付温度における上記接着剤層の貯蔵剪断弾性率であり、Ｇａは上記式（１）中のＧａと同義である。）
【請求項２】
上記第１の熱可塑性樹脂層がエチレン・酢酸ビニル共重合体またはポリエチレンからなり、上記第２の熱可塑性樹脂層がエチレン・酢酸ビニル共重合体からなる、請求項１記載の保護テープ。
【請求項３】
上記貼付温度が、４０〜８０℃である請求項１記載の保護テープ。
【請求項４】
上記第１の熱可塑性樹脂層の６０℃での貯蔵剪断弾性率が、１．０Ｅ＋０６Ｐａ〜１．０Ｅ＋０９Ｐａであり、
上記第２の熱可塑性樹脂層の６０℃での貯蔵剪断弾性率が、１．０Ｅ＋０４Ｐａ〜２．０Ｅ＋０６Ｐａである請求項１乃至３のいずれか１項に記載の保護テープ。
【請求項５】
上記接着剤層の６０℃での貯蔵剪断弾性率が、１．０Ｅ＋０１Ｐａ〜５．０Ｅ＋０４Ｐａである請求項１乃至４のいずれか１項に記載の保護テープ。
【請求項６】
バンプが形成されたウエハ面に上記接着剤層が貼付されるものであり、
上記接着剤層の厚さと、上記第１の熱可塑性樹脂層の厚さと、上記第２の熱可塑性樹脂層の厚さとの合計が、上記バンプの高さ以上である、請求項１乃至５のいずれか１項に記載の保護テープ。
【請求項７】
上記接着剤層の厚みが、上記バンプの高さの１０〜８０％である請求項６記載の保護テープ。
【請求項８】
バンプが形成されたウエハ面に接着剤層を有する保護テープを貼付する保護テープ貼付工程と、
上記保護テープを貼付けたウエハの反対面をグラインド処理するグラインド処理工程と、
上記接着剤層を残して上記保護テープを剥離し、他の層を除去する保護テープ剥離工程とを有し、
上記保護テープが、接着剤層と、第１の熱可塑性樹脂層と、第２の熱可塑性樹脂層と、基材フィルム層とをこの順に有し、下記式（１）〜（４）の条件を満たし、上記第１の熱可塑性樹脂層および上記第２の熱可塑性樹脂層は、エチレン・酢酸ビニル共重合体またはポリエチレンからなる、半導体装置の製造方法。
（１）Ｇａ＞Ｇｂ
（２）Ｔａ＜Ｔｂ
（３）３．５Ｅ＋０５≦（Ｇａ×Ｔａ＋Ｇｂ×Ｔｂ）／（Ｔａ＋Ｔｂ）≦１．４Ｅ＋０６Ｐａ
（４）１．１Ｅ−０３≦Ｇｎ／Ｇａ≦１．２Ｅ−０２
（式（１）中、Ｇａは上記保護テープを貼付する貼付温度における第１の熱可塑性樹脂層の貯蔵剪断弾性率であり、Ｇｂは上記保護テープを貼付する貼付温度における第２の熱可塑性樹脂層の貯蔵剪断弾性率である。式（２）中、Ｔａは第１の熱可塑性樹脂層の厚みであり、Ｔｂは第２の熱可塑性樹脂層の厚みである。式（３）中、Ｇａ及びＧｂは式（１）中のＧａ及びＧｂと同義であり、Ｔａ及びＴｂは式（２）中のＴａ及びＴｂと同義である。式（４）中、Ｇｎは上記保護テープを貼付する貼付温度における上記接着剤層の貯蔵剪断弾性率であり、Ｇａは上記式（１）中のＧａと同義である。）
【請求項９】
グラインド処理面に粘着テープを貼付する粘着テープ貼付工程と、
上記粘着テープが貼付されたウエハをダイシング処理し、個片の半導体チップを得るダイシング処理工程と、
上記接着剤層を硬化させる硬化工程とを有し、
上記硬化工程が、上記ダイシング処理工程前に行われる請求項８記載の半導体装置の製造方法。
【請求項１０】
上記第１の熱可塑性樹脂層がエチレン・酢酸ビニル共重合体またはポリエチレンからなり、上記第２の熱可塑性樹脂層がエチレン・酢酸ビニル共重合体からなる、請求項８又は９記載の半導体装置の製造方法。
【発明の詳細な説明】
【技術分野】
【０００１】
本発明は、半導体装置の製造に使用される保護テープ、及びこれを用いた半導体装置の製造方法に関する。
【背景技術】
【０００２】
従来、フリップチップ実装用の半導体製造プロセスの後工程は、次のように行われている。先ず、複数のバンプ（突起電極）が形成されたウエハのバンプ形成面に、バンプの保護目的でバックグラインドテープ（Back Grind Tape）と呼ばれる粘着シート又はテープを貼り合わせ、この状態でバンプ形成面の反対面を所定の厚さにまで研削する（例えば、特許文献１〜３参照。）。研削終了後、バックグラインドテープを剥離し、ウエハをダイシングして個々の半導体チップとする。次いで、半導体チップを、他の半導体チップ又は基板上にフリップチップ実装する。また、アンダーフィルを硬化して半導体チップを補強する。
【０００３】
例えば、特許文献１では、バックグラインドテープとして熱硬化性樹脂層と熱可塑性樹脂層とを積層したものを使用し、熱硬化性樹脂層のみをウエハのバンプ形成面に残して他の層を除去する方法が検討されている。
【先行技術文献】
【特許文献】
【０００４】
【特許文献１】特開２００５−２８７３４号公報
【特許文献２】国際公開第２００６／１１８０３３号
【特許文献３】国際公開第２０１２／０２６４３１号
【発明の概要】
【発明が解決しようとする課題】
【０００５】
従来のバックグラインドテープでは、ウエハをバックグラインドした後にウエハに大きな反りが生じてしまい、後工程でハンドリングできなくなってしまう。また、従来のバックグラインドテープでは、熱硬化性樹脂層のみをウエハに残して他の層を除去した際、バンプ上に樹脂が残ってしまい、例えばリフロー時においてはんだ接合を阻害し、接続性を低下させてしまう。
【０００６】
本発明は、このような従来の実情に鑑みて提案されたものであり、はんだ接合性を良好にするとともに、ウエハの反り量を低減することができる保護テープ、及びこれを用いた半導体装置の製造方法を提供する。
【課題を解決するための手段】
【０００７】
本願発明者らは、鋭意検討の結果、保護テープが、接着剤層と、第１の熱可塑性樹脂層と、第２の熱可塑性樹脂層と、基材フィルム層とをこの順に有し、後述する式（１）〜（３）の条件を満たすことにより、上記課題を解決できることを見出した。
【０００８】
すなわち、本発明に係る保護テープは、接着剤層と、第１の熱可塑性樹脂層と、第２の熱可塑性樹脂層と、基材フィルム層とをこの順に有し、下記式（１）〜（３）の条件を満たす。
（１）Ｇａ＞Ｇｂ
（２）Ｔａ＜Ｔｂ
（３）（Ｇａ×Ｔａ＋Ｇｂ×Ｔｂ）／（Ｔａ＋Ｔｂ）≦１．４Ｅ＋０６Ｐａ
（式（１）中、Ｇａは保護テープを貼付する貼付温度における第１の熱可塑性樹脂層の貯蔵剪断弾性率であり、Ｇｂは保護テープを貼付する貼付温度における第２の熱可塑性樹脂層の貯蔵剪断弾性率である。式（２）中、Ｔａは第１の熱可塑性樹脂層の厚みであり、Ｔｂは第２の熱可塑性樹脂層の厚みである。式（３）中、Ｇａ及びＧｂは式（１）中のＧａ及びＧｂと同義であり、Ｔａ及びＴｂは式（２）中のＴａ及びＴｂと同義である。）
【０００９】
また、本発明に係る半導体装置の製造方法は、バンプが形成されたウエハ面に接着剤層を有する保護テープを貼付する保護テープ貼付工程と、保護テープを貼付けたウエハの反対面をグラインド処理するグラインド処理工程と、接着剤層を残して保護テープを剥離し、他の層を除去する保護テープ剥離工程とを有し、保護テープが、接着剤層と、第１の熱可塑性樹脂層と、第２の熱可塑性樹脂層と、基材フィルム層とをこの順に有し、上記式（１）〜（３）の条件を満たす。
【００１０】
また、本発明に係る半導体装置は、上記半導体装置の製造方法により得られる。
【発明の効果】
【００１１】
本発明は、保護テープが、接着剤層と、第１の熱可塑性樹脂層と、第２の熱可塑性樹脂層と、基材フィルム層とをこの順に有し、式（１）〜（３）の条件を満たすことにより、バンプが形成されたウエハに接着剤層を介して貼りつけられた保護テープから、接着剤層以外の層（基材フィルム層と第１の熱可塑性樹脂層と第２の熱可塑性樹脂層）を除去する際、バンプ上に接着剤層が残りにくくなるため、はんだ接合性を良好にすることができる。また、式（１）〜（３）の条件を満たすことにより、第１の熱可塑性樹脂層と第２の熱可塑性樹脂層の弾性率を厚みで補正した弾性率補正値が適切な範囲に調整されるため、バックグラインド後のウエハの反り量を低減することができる。
【図面の簡単な説明】
【００１２】
【図１】図１は、保護テープの概略を示す断面図である。
【図２】図２は、保護テープ貼付工程の概略を示す断面図である。
【図３】図３は、グラインド工程の概略を示す断面図である。
【図４】図４は、粘着テープ貼付工程の概略を示す断面図である。
【図５】図５は、保護テープ剥離工程の概略を示す断面図である。
【図６】図６は、硬化工程の概略を示す断面図である。
【図７】図７は、ダイシング処理工程の概略を示す断面図である。
【図８】図８は、エキスパンド工程の概略を示す断面図である。
【図９】図９は、ピックアップ工程の概略を示す断面図である。
【図１０】図１０は、実装工程の概略を示す断面図である。
【発明を実施するための形態】
【００１３】
以下、本発明の実施の形態について、下記順序にて詳細に説明する。
１．保護テープ
２．半導体装置の製造方法
３．実施例
【００１４】
＜１．保護テープ＞
本実施の形態に係る保護テープは、接着剤層と、第１の熱可塑性樹脂層と、第２の熱可塑性樹脂層と、基材フィルム層とをこの順に有し、下記式（１）〜（３）の条件を満たす。
（１）Ｇａ＞Ｇｂ
（２）Ｔａ＜Ｔｂ
（３）（Ｇａ×Ｔａ＋Ｇｂ×Ｔｂ）／（Ｔａ＋Ｔｂ）≦１．４Ｅ＋０６Ｐａ
（式（１）中、Ｇａは保護テープを貼付する貼付温度における第１の熱可塑性樹脂層の貯蔵剪断弾性率であり、Ｇｂは保護テープを貼付する貼付温度における第２の熱可塑性樹脂層の貯蔵剪断弾性率である。式（２）中、Ｔａは第１の熱可塑性樹脂層の厚みであり、Ｔｂは第２の熱可塑性樹脂層の厚みである。式（３）中、Ｇａ及びＧｂは式（１）中のＧａ及びＧｂと同義であり、Ｔａ及びＴｂは式（２）中のＴａ及びＴｂと同義である。）
【００１５】
保護テープは、式（１）の条件を満たす。すなわち、保護テープを貼付する貼付温度における第１の熱可塑性樹脂層の貯蔵剪断弾性率（Ｇａ）が、保護テープを貼付する貼付温度における第２の熱可塑性樹脂層の貯蔵剪断弾性率（Ｇｂ）よりも大きい。式（１）の条件を満たすことにより、接着剤層の表層、すなわち、第１の熱可塑性樹脂層が第２の熱可塑性樹脂層よりも硬くなるため、第１の熱可塑性樹脂層が変形した際に、第１の熱可塑性樹脂層の変形を、第２の熱可塑性樹脂層が阻害しにくくなる。
【００１６】
また、保護テープは、式（２）の条件を満たす。すなわち、第２の熱可塑性樹脂層の厚み（Ｔｂ）が、第１の熱可塑性樹脂層の厚み（Ｔａ）よりも大きい。式（１）及び式（２）の条件を満たすことにより、保護テープにおいて、第２の熱可塑性樹脂層と比較して硬い第１の熱可塑性樹脂層がより薄くなり、第１の熱可塑性樹脂層と比較して柔らかい第２の熱可塑性樹脂層がより厚くなる。
【００１７】
さらに、保護テープは、式（３）の条件を満たす。すなわち、第１の熱可塑性樹脂層の弾性率と第２の熱可塑性樹脂層の弾性率をこれらの層の厚みで補正した弾性率補正値が１．４Ｅ＋０６Ｐａ以下である。式（３）の条件を満たすことにより、上記弾性率補正値が適切な範囲に調整されるため、バックグラインド後のウエハの反り量を低減することができる。
【００１８】
式（３）の左辺の値、すなわち、上記弾性率補正値の下限値は、特に限定されないが、１．０Ｅ＋０５Ｐａ以上が好ましい。
【００１９】
このように、保護テープは、接着剤層と、第１の熱可塑性樹脂層と、第２の熱可塑性樹脂層と、基材フィルム層とをこの順に有し、式（１）〜（３）の条件を満たすことにより、バンプが形成されたウエハに接着剤層を介して貼りつけられた保護テープから、接着剤層以外の層（基材フィルム層と第１の熱可塑性樹脂層と第２の熱可塑性樹脂層）を除去する際、バンプ上に接着剤層が残りにくくなるため、はんだ接合性を良好にすることができる。また、バックグラインド後のウエハの反り量を低減することができる。
【００２０】
保護テープは、式（１）〜（３）の条件に加えて、さらに式（１Ａ）の条件を満たすことが好ましい。
（１Ａ）Ｇａ＞Ｇｂ＞Ｇｎ
（式（１Ａ）中、Ｇｎは保護テープを貼付する貼付温度における接着剤層の貯蔵剪断弾性率であり、Ｇａ及びＧｂは式（１）中のＧａ及びＧｂと同義である。）
【００２１】
すなわち、保護テープを貼付する貼付温度における第１の熱可塑性樹脂層の貯蔵剪断弾性率（Ｇａ）が一番大きく、保護テープを貼付する貼付温度における第２の熱可塑性樹脂層の貯蔵剪断弾性率（Ｇｂ）が二番目に大きく、保護テープを貼付する貼付温度における接着剤層の貯蔵剪断弾性率（Ｇｎ）が三番目に大きいことが好ましい。式（１Ａ）の条件を満たすことにより、接着剤層、第２の熱可塑性樹脂層、第１の熱可塑性樹脂層の順に硬くなるため、第１の熱可塑性樹脂層に比べて接着剤層の変形や流動が非常に良好となる。これにより、保護テープをウエハに貼付けする際に、ウエハのバンプ上への接着剤層の付着をより効果的に抑制することができ、バンプ上に接着剤層が残りにくくなるため、はんだ接合性をより良好にすることができる。
【００２２】
保護テープは、式（１）〜（３）の条件に加えて、さらに式（２Ａ）の条件を満たすことが好ましい。
（２Ａ）Ｔｎ＜Ｔａ＜Ｔｂ
（式（２Ａ）中、Ｔｎは接着剤層の厚みであり、Ｔａ及びＴｂは式（２）中のＴａ及びＴｂと同義である。）
【００２３】
すなわち、第２の熱可塑性樹脂層の厚み（Ｔｂ）が一番大きく、第１の熱可塑性樹脂層の厚み（Ｔａ）が二番目に大きく、接着剤層の厚み（Ｔｎ）が三番目に大きいことが好ましい。
【００２４】
保護テープは、式（１）〜（３）の条件に加えて、さらに下記式（４）の条件を満たすことが好ましい。
（４）Ｇｎ／Ｇａ≦０．０１
【００２５】
すなわち、保護テープは、保護テープを貼付する貼付温度における接着剤層の貯蔵剪断弾性率（Ｇｎ）と、保護テープを貼付する貼付温度における第１の熱可塑性樹脂層の貯蔵剪断弾性率（Ｇａ）との比（Ｇｎ／Ｇａ）が０．０１以下であることが好ましい。式（４）の条件を満たすことにより、第１の熱可塑性樹脂層に比べて接着剤層の変形や流動が非常に良好となる。これにより、保護テープをウエハに貼付けする際に、ウエハのバンプ上への接着剤層の付着をより効果的に抑制することができ、バンプ上に接着剤層が残りにくくなるため、はんだ接合性をより良好にすることができる。
【００２６】
式（４）の左辺の値（Ｇｎ／Ｇａ）の下限値は、１．０Ｅ＋０３以上が好ましい。
【００２７】
図１は、保護テープの概略を示す断面図である。保護テープ１０は、バックグラインドテープと呼ばれるものであり、グラインド処理工程において、傷、割れ、汚染などからウエハを保護するものである。図１に示すように、保護テープ１０は、接着剤層１１と、第１の熱可塑性樹脂層１２と、第２基材フィルム層１３と、基材フィルム層１４とがこの順に積層されている。
【００２８】
［接着剤層１１］
接着剤層１１の６０℃での貯蔵剪断弾性率（Ｇｎ）は、１．０Ｅ＋０１Ｐａ〜５．０Ｅ＋０４Ｐａであることが好ましく、１．０Ｅ＋０２Ｐａ〜３．５Ｅ＋０３Ｐａであることがより好ましい。接着剤層１１の貯蔵剪断弾性率を１．０Ｅ＋０１Ｐａ以上とすることにより、バンプが接着剤を貫通する間に接着剤層１１付着してバンプ先端を接着剤層が覆ってしまうことを抑制することができる。また、保護テープ１０をウエハに貼り付けた際に接着剤層１１の樹脂が流れてしまうことを抑制することができる。接着剤層１１の貯蔵剪断弾性率を５．０Ｅ＋０４Ｐａ以下とすることにより、バンプが接着剤層１１をより容易に貫通することができ、導通をより良好にすることができる。
【００２９】
接着剤層１１の樹脂組成としては、特に限定されず、例えば、熱アニオン硬化型、熱カチオン硬化型、熱ラジカル硬化型などの熱硬化型、光カチオン硬化型、光ラジカル硬化型などの光硬化型、又はこれらを併用して略同一に用いる熱／光硬化型のものを用いることができる。
【００３０】
ここでは、接着剤層１１として、膜形成樹脂と、エポキシ樹脂と、硬化剤と、硬化助剤とを含有する熱硬化型の接着剤組成物について説明する。
【００３１】
膜形成樹脂としては、フェノキシ樹脂、エポキシ樹脂、変性エポキシ樹脂、ウレタン樹脂等の種々の樹脂を用いることができる。これらの膜形成樹脂は、１種を単独で用いても、２種類以上を組み合わせて用いてもよい。これらの中でも、膜形成状態、接続信頼性等の観点からフェノキシ樹脂が好適に用いられる。
【００３２】
エポキシ樹脂としては、例えば、ジシクロペンタジエン型エポキシ樹脂、グリシジルエーテル型エポキシ樹脂、グリシジルアミン型エポキシ樹脂、ビスフェノールＡ型エポキシ樹脂、ビスフェノールＦ型エポキシ樹脂、ビスフェノールＳ型エポキシ樹脂、スピロ環型エポキシ樹脂、ナフタレン型エポキシ樹脂、ビフェニル型エポキシ樹脂、テルペン型エポキシ樹脂、テトラブロムビスフェノールＡ型エポキシ樹脂、クレゾールノボラック型エポキシ樹脂、フェノールノボラック型エポキシ樹脂、α−ナフトールノボラック型エポキシ樹脂、臭素化フェノールノボラック型エポキシ樹脂などを挙げることができる。これらのエポキシ樹脂は、１種を単独で用いても、２種類以上を組み合わせて用いてもよい。これらの中でも、高接着性、耐熱性の点から、ジシクロペンタジエン型エポキシ樹脂が好適に用いられる。
【００３３】
硬化剤としては、例えば、ノボラック型フェノール樹脂、脂肪族アミン、芳香族アミン、酸無水物などが挙げられ、これらの硬化剤は、１種を単独で用いても、２種類以上を組み合わせて用いてもよい。これらの中でも、硬化物の架橋密度の観点から、ノボラック型フェノール樹脂が好適に用いられる。
【００３４】
硬化助剤としては、２−メチルイミダゾール、２−エチルイミダゾール、２−エチル−４−メチルイミダゾールなどのイミダゾ−ル類、１，８−ジアザビシクロ（５，４，０）ウンデセン−７塩（ＤＢＵ塩）、２−（ジメチルアミノメチル）フェノールなどの第３級アミン類、トリフェニルホスフィンなどのホスフィン類、オクチル酸スズなどの金属化合物などが挙げられる。これらの中でも、２−エチル−４−メチルイミダゾールが好ましい。
【００３５】
また、接着剤組成物には、その他の成分として、無機フィラー、シランカップリング剤、アクリルゴムなどのエラストマー、カーボンブラックなどの顔料を、目的に応じて適宜配合するようにしてもよい。
【００３６】
無機フィラーとしては、シリカ、窒化アルミニウム、アルミナ等が挙げられる。無機フィラーは、１種を単独で用いても、２種以上を併用してもよい。無機フィラーは、表面処理されていることが好ましく、親水性の無機フィラーであることが好ましい。親水性の無機フィラーとしては、無機フィラーが親水性表面処理剤で表面処理されたものが挙げられる。親水性表面処理剤としては、例えば、シランカップリング剤、チタネート系カップリング剤、アルミニウム系カップリング剤、ジルコアルミネート系カップリング剤、Ａｌ2Ｏ3、ＴｉＯ2、ＺｒＯ2、シリコーン、ステアリン酸アルミニウム等が挙げられ、シランカップリング剤が好ましい。
【００３７】
接着剤層１１の厚さは、ウエハに形成されたバンプの高さの１０〜８０％であることが好ましく、１０〜６０％であることがより好ましい。バンプの高さの１０％以上にすることにより、バンプの補強の効果がより得やすくなる。また、バンプの高さの８０％以下にすることにより、接着剤層１１がバンプをより容易に貫通させることができる。例えば、ウエハに形成されたバンプの高さが１００〜２００μｍである場合、接着剤層１１の厚みは５〜１００μｍであることが好ましく、５〜３０μｍであることがより好ましい。
【００３８】
［第１の熱可塑性樹脂層１２］
第１の熱可塑性樹脂層１２は、例えば、エチレン酢酸ビニル共重合体（ＥＶＡ：Ethylene Vinyl Acetate）、ポリエチレン、ポリプロピレン、ポリアミド、ポリアセタール、ポリエチレンテレフタレート、ポリブチレンテレフタレート、フッ素樹脂、ポリフェニレンサルファイド、ポリスチレン、ＡＢＳ樹脂、アクリル系樹脂、ポリカーボネート、ポリウレタン、ポリ塩化ビニル、ポリフェニレンオキサイドなどの樹脂からなる層である。上記樹脂は、１種単独で使用してもよいし、２種以上を併用してもよい。
【００３９】
第１の熱可塑性樹脂層１２の６０℃での貯蔵剪断弾性率（Ｇａ）は、１．０Ｅ＋０６Ｐａ〜１．０Ｅ＋０９Ｐａであることが好ましく、１．０Ｅ＋０６Ｐａ〜１．０Ｅ＋０７Ｐａであることがより好ましい。
【００４０】
第１の熱可塑性樹脂層１２の厚さ（Ｔａ）は、上述した式（１）を満たす範囲であり、５〜３００μｍであることが好ましく、５〜２００μｍであることがより好ましい。
【００４１】
［第２の熱可塑性樹脂層１３］
第２の熱可塑性樹脂層１３は、第１の熱可塑性樹脂層１２と同様の樹脂からなる層である。第２の熱可塑性樹脂層を構成する樹脂は、１種単独で使用してもよいし、２種以上を併用してもよい。
【００４２】
第２の熱可塑性樹脂層１３の６０℃での貯蔵剪断弾性率（Ｇｂ）は、１．０Ｅ＋０４Ｐａ〜２．０Ｅ＋０６Ｐａであることが好ましく、１．０Ｅ＋０４Ｐａ〜８．０Ｅ＋０５Ｐａであることが好ましい。
【００４３】
第２の熱可塑性樹脂層１３の厚さ（Ｔｂ）は、上述した式（１）を満たす範囲であり、１００〜７００μｍであることが好ましい。
【００４４】
［基材フィルム層１４］
基材フィルム層１４としては、ポリエチレンテレフタレート、ポリエチレン、ポリプロピレン、ポリエステルなどのプラスチックフィルムや、紙、布、不織布等からなる多孔質基材を用いることができる。
【００４５】
基材フィルム層１４の厚さは、２５〜２００μｍであることが好ましく、５０〜１００μｍであることがより好ましい。
【００４６】
なお、保護テープは、上述した構成に限られることなく、各層の表面や隣接する層間に他の層が形成されていてもよい。例えば、保護テープは、第１の熱可塑性樹脂層及び第２の熱可塑性樹脂層の他に、第３の熱可塑性樹脂層を有していてもよい。例えば、保護テープが、接着剤層と第１の熱可塑性樹脂層との間に、第１の熱可塑性樹脂層及び第２の熱可塑性樹脂層とは異なる第３の熱可塑性樹脂層をさらに有していてもよい。この場合、保護テープを貼付する貼付温度における第３の熱可塑性樹脂層の貯蔵剪断弾性率（Ｇｃ）及び厚み（Ｔｃ）は、下記式（１Ａ）及び（２Ａ）の条件を満たすことが好ましい。このような条件を満たすことにより、はんだ接合性をより良好にすることができ、バックグラインド後のウエハの反り量をより低減することができる。
（１Ａ）Ｇｃ＞Ｇａ＞Ｇｂ
（２Ａ）Ｔｃ＜Ｔａ＜Ｔｂ
（式（１Ａ）中、Ｇｃは、保護テープを貼付する貼付温度における第３の熱可塑性樹脂層の貯蔵剪断弾性率であり、Ｇａ及びＧｂは式（１）中のＧａ及びＧｂと同義である。式（２Ａ）中、Ｔｃは第３の熱可塑性樹脂層の厚さであり、Ｔａ及びＴｂは式（２）中のＴａ及びＴｂと同義である。）
【００４７】
本実施の形態に係る保護テープは、例えば、基材フィルム層と第１の熱可塑性樹脂層と第２の熱可塑性樹脂層とがこの順に形成されている基材フィルム層と熱可塑性樹脂層の積層体と、接着剤層とをラミネートすることにより得ることができる。基材フィルム層と熱可塑性樹脂層の積層体は、基材フィルム層に、熱可塑性樹脂を押し出し溶融成型することにより得ることができる。接着剤層は、例えば上述した熱硬化型の接着剤組成物を調製し、剥離処理された基材にバーコーターを用いて塗布し、乾燥させることにより得ることができる。
【００４８】
＜２．半導体装置の製造方法＞
次に、上述した保護テープを用いた半導体装置の製造方法について説明する。本実施の形態に係る半導体装置の製造方法は、バンプが形成されたウエハ面に接着剤層を有する保護テープを貼付する保護テープ貼付工程と、保護テープ貼付面の反対面をグラインド処理するグラインド処理工程と、接着剤層を残して保護テープを剥離し、他の層を除去する保護テープ剥離工程とを有し、保護テープが、上述した保護テープである。
【００４９】
ここで、接着層を硬化させる硬化工程は、グラインド処理工程、粘着テープ貼付工程、及びダイシング処理工程のいずれかの工程前に行われればよい。
【００５０】
以下、具体的な半導体装置の製造方法について説明する。具体例として示す半導体装置の製造方法は、上述した保護テープを用い、硬化工程が、粘着テープ貼付工程とダイシング処理工程との間に行われるものである。すなわち、具体例として示す半導体装置の製造方法は、接着剤層を有する保護テープを貼付する保護テープ貼付工程（Ａ）と、グラインド工程（Ｂ）と、粘着テープ貼付工程（Ｃ）と、保護テープ剥離工程（Ｄ）と、接着剤層を硬化させる硬化工程（Ｅ）と、ダイシング処理工程（Ｆ）と、エキスパンド工程（Ｇ）と、ピックアップ工程（Ｈ）と、実装工程（Ｉ）とを有する。
【００５１】
［（Ａ）保護テープ貼付工程］
図２は、保護テープ貼付工程の概略を示す断面図である。保護テープ貼付工程では、バンプ２２が形成されたウエハ２１面に保護テープ１０を貼り付ける。保護テープ１０を貼り付ける貼付温度は、ボイドの減少、ウエハ密着性の向上およびウエハ研削後のウエハの反り防止の観点から、２５℃〜１００℃が好ましく、４０℃〜８０℃がより好ましい。
【００５２】
ウエハ２１は、シリコンなどの半導体表面に形成された集積回路と、接続用のバンプ２２とを有する。ウエハ２１の厚みは、特に限定されないが、２００〜１０００μｍであることが好ましい。
【００５３】
バンプ２２としては、特に限定はされないが、例えば、はんだによる低融点バンプ又は高融点バンプ、錫バンプ、銀−錫バンプ、銀−錫−銅バンプ、金バンプ、銅バンプなどが挙げられる。また、バンプ２２の高さは、例えば、１０〜２００μｍであることが好ましい。
【００５４】
保護テープ１０は、バンプ２２の形成面と接着剤層１１とが接する状態で貼り合わされる。図２に示すように、バンプ２２は、接着剤層１１を突き抜け、第１の熱可塑性樹脂層１２に埋め込まれる。また、第１の熱可塑性樹脂層１２における第２の熱可塑性樹脂１３と接する面は、バンプ２２の形状に追従するように変形する。さらに、第２の熱可塑性樹脂層１３における第１の熱可塑性樹脂層１２と接する面は、第１の熱可塑性樹脂層１２の変形に追従するように変形する。
【００５５】
［（Ｂ）グラインド工程］
図３は、グラインド工程の概略を示す断面図である。グラインド工程では、保護テープ１０を貼り付けたウエハ２１の反対面、すなわち、バンプ２２が形成されている面とは反対面を研削装置に固定して研磨する。研磨は通常、ウエハ２１の厚みが５０〜６００μｍになるまで行うが、本実施の形態では、接着剤層１１によりバンプ２２が補強されるため、５０μｍ以下の厚さまで研磨してもよい。
【００５６】
［（Ｃ）粘着テープ貼付工程］
図４は、粘着テープ貼付工程の概略を示す断面図である。粘着テープ貼付工程では、グラインド処理面に粘着テープ３０を貼付する。粘着テープ３０は、ダイシングテープ（Dicing Tape）と呼ばれるものであり、ダイシング工程（Ｆ）において、ウエハ２１を保護、固定し、ピックアップ工程（Ｈ）まで保持するためのテープである。
【００５７】
粘着テープ３０は、特に限定されず、公知のものを使用することができる。一般に、粘着テープ３０は、粘着剤層３１と、基材フィルム層３２とを有する。粘着剤層３１としては、例えば、ポリエチレン系、アクリル系、ゴム系、ウレタン系などの粘着剤が挙げられる。また、基材フィルム層３２としては、ポリエチレンテレフタレート、ポリエチレン、ポリプロピレン、ポリエステルなどのプラスチックフィルムや、紙、布、不織布等からなる多孔質基材を用いることができる。また、粘着テープの貼付装置及び条件としては、特に限定されず、公知の装置及び条件を用いることができる。
【００５８】
［（Ｄ）保護テープ剥離工程］
図５は、保護テープ剥離工程の概略を示す断面図である。保護テープ剥離工程では、接着剤層１１を残して保護テープ１０を剥離し、他の層を除去する。すなわち、第１の熱可塑性樹脂層１２、第２の熱可塑性樹脂祖１３及び基材フィルム層１４が除去され、ウエハ２１上には接着剤層１１のみが残る。
【００５９】
［（Ｅ）硬化工程］
図６は、硬化工程の概略を示す断面図である。硬化工程では、接着剤層１１を硬化させる。硬化方法及び硬化条件としては、熱硬化型の接着剤を硬化させる公知の方法を用いることができる。例えば、硬化条件は、１００〜２００℃で１時間以上が好ましい。
【００６０】
［（Ｆ）ダイシング処理工程］
図７は、ダイシング処理工程の概略を示す断面図である。ダイシング処理工程では、粘着テープ３０が貼付されたウエハ２１をダイシング処理し、個片の半導体チップを得る。ダイシング方法としては、特に限定されず、例えばダイシングソーでウエハ２１を切削して切り出すなどの公知の方法を用いることができる。
【００６１】
［（Ｇ）エキスパンド工程］
図８は、エキスパンド工程の概略を示す断面図である。エキスパンド工程では、例えば分割された複数個の半導体チップが貼着されている粘着テープ３０を水平方向に伸長させ、個々の半導体チップの間隔を広げる。
【００６２】
［（Ｈ）ピックアップ工程］
図９は、ピックアップ工程の概略を示す断面図である。ピックアップ工程では、粘着テープ３０上に貼着固定された半導体チップを、粘着テープ３０の下面より突き上げて剥離させ、この剥離された半導体チップをコレットで吸着する。ピックアップされた半導体チップは、チップトレイに収納されるか、またはフリップチップボンダーのチップ搭載ノズルへと搬送される。
【００６３】
［（Ｉ）実装工程］
図１０は、実装工程の概略を示す断面図である。実装工程では、例えば半導体チップと回路基板とをＮＣＦ（Non Conductive Film）などの回路接続材料を用いて接続する。回路基板としては、特に限定されないが、ポリイミド基板、ガラスエポキシ基板などのプラスチック基板、セラミック基板などを用いることができる。また、接続方法としては、加熱ボンダー、リフロー炉などを用いる公知の方法を用いることができる。
【００６４】
上述した保護テープを用いた半導体装置の製造方法によれば、はんだ接合性を良好にすることができ、バックグラインド後のウエハの反り量を低減することができる。また、ダイシング処理工程前にバンプが形成されたウエハ面の接着剤層が硬化してバンプが補強されるため、ダイシング、ピックアップ、実装などの後工程において、バンプの破損を低減させることができる。また、優れた接続信頼性を有する半導体装置を歩留り良く得ることができる。
【００６５】
半導体装置の製造方法で得られる半導体装置は、バンプとバンプ形成面に形成された接着剤層とを有する半導体チップと、バンプに対向する電極を有する回路基板とを備え、半導体チップのバンプ形成面に接着剤層１１が形成されているため、優れた接続信頼性を得ることができる。
【実施例】
【００６６】
以下、本発明の実施例について説明する。本実施例では、接着剤層と、第１の熱可塑性樹脂層と、第２の熱可塑性樹脂層と、基材フィルム層とを積層させた保護テープを作製した。保護テープを用いて、保護テープ貼付工程（Ａ）と、グラインド工程（Ｂ）と、粘着テープ貼付工程（Ｃ）と、保護テープ剥離工程（Ｄ）と、硬化工程（Ｅ）と、ダイシング処理工程（Ｆ）と、エキスパンド工程（Ｇ）と、ピックアップ工程（Ｈ）と、実装工程（Ｉ）とを順次行い、半導体装置を作製した。そして、半導体装置のはんだ接合性、及びウエハ反り量について評価した。なお、本発明は、これらの実施例に限定されるものではない。
【００６７】
［貯蔵剪断弾性率］
接着剤層及び熱可塑性樹脂層の６０℃における貯蔵剪断弾性率は、粘弾性測定装置を用いて算出した。測定条件は、測定温度域０〜１２０℃、昇温速度５℃／分、振動数１Ｈｚ、歪み０．１％に設定した。
【００６８】
［保護テープの作製］
＜熱可塑性樹脂層（フィルム１）の作製＞
ＰＥＴ基材（厚み７５μｍ）上に、第１の熱可塑性樹脂層（下記熱可塑性樹脂層Ａ１〜Ａ３のいずれか）、及び／又は、第２の熱可塑性樹脂層（下記熱可塑性樹脂層Ｂ１〜Ｂ３のいずれか）がこの順に形成されるように、熱可塑性樹脂を押し出し溶融成型した。
【００６９】
＜第１の熱可塑性樹脂層＞
熱可塑性樹脂層Ａ１：エチレン・酢酸ビニル共重合体（ＶＦ１２０Ｔ、宇部丸善ポリエチレン（株）社製）、６０℃での貯蔵剪断弾性率：３．１Ｅ＋０６Ｐａ
熱可塑性樹脂層Ａ２：（０５４０Ｆ、宇部丸善ポリエチレン（株）社製）、６０℃での貯蔵剪断弾性率：７．１Ｅ＋０６Ｐａ
熱可塑性樹脂層Ａ３：エチレン・酢酸ビニル共重合体（Ｖ３１９、宇部丸善ポリエチレン（株）社製）、６０℃での貯蔵剪断弾性率：１．１Ｅ＋０６Ｐａ
【００７０】
＜第２の熱可塑性樹脂層＞
熱可塑性樹脂層Ｂ１：エチレン・酢酸ビニル共重合体（ＥＶ４０ＬＸ、三井・デュポンポリケミカル（株）社製）、６０℃での貯蔵剪断弾性率：４．９Ｅ＋０５Ｐａ
熱可塑性樹脂層Ｂ２：エチレン・酢酸ビニル共重合体（ＥＶ４５ＬＸ、三井・デュポンポリケミカル（株）社製）、６０℃での貯蔵剪断弾性率：４．２Ｅ＋０４Ｐａ
熱可塑性樹脂層Ｂ３：エチレン・酢酸ビニル共重合体（ＥＶ１７０、三井・デュポンポリケミカル（株）社製）、６０℃での貯蔵剪断弾性率：６．２Ｅ＋０５Ｐａ
【００７１】
＜接着剤層（フィルム２）の作製＞
表１に示すように、接着剤層Ｎｏ．１〜Ｎｏ．３を作製した。接着剤層Ｎｏ．１は、膜形成樹脂１３．０質量部と、エポキシ樹脂５４．８質量部と、硬化剤３２．４質量部と、硬化助剤０．３質量部とを配合して接着剤組成物を調製し、これを、乾燥後の厚みが３０μｍとなるように剥離処理されたＰＥＴ（Polyethylene terephthalate）にバーコーターを用いて塗布し、オーブンで乾燥させて作製した。接着剤層Ｎｏ．１の６０℃での貯蔵剪断弾性率は、３．３Ｅ＋０３Ｐａであった。
【００７２】
接着剤層Ｎｏ．２は、膜形成樹脂１３．０質量部と、エポキシ樹脂５４．８質量部と、硬化剤３２．４質量部と、硬化助剤０．３質量部と、フィラー２５．０質量部とを配合して接着剤組成物を調製し、これを、乾燥後の厚みが３０μｍとなるように剥離処理されたＰＥＴにバーコーターを用いて塗布し、オーブンで乾燥させて作製した。接着剤層Ｎｏ．２の６０℃での貯蔵剪断弾性率は、３．６Ｅ＋０４Ｐａであった。
【００７３】
接着剤層Ｎｏ．３は、膜形成樹脂２．０質量部と、エポキシ樹脂５４．８質量部と、硬化剤３２．４質量部と、硬化助剤０．３質量部とを配合して接着剤組成物を調製し、これを、乾燥後の厚みが３０μｍとなるように剥離処理されたＰＥＴにバーコーターを用いて塗布し、オーブンで乾燥させて作製した。接着剤層Ｎｏ．３の６０℃での貯蔵剪断弾性率は、３．６Ｅ＋０１Ｐａであった。
【００７４】
【表１】
0006599134.tif 000002
【００７５】
膜形成樹脂：フェノキシ樹脂（ＰＫＨＨ、ユニオンカーバイド（株）社製）
エポキシ樹脂：ジシクロペンタジエン型エポキシ樹脂（ＨＰ７２００Ｈ、ＤＩＣ（株）社製）
硬化剤：ノボラック型フェノール樹脂（ＴＤ−２０９３、ＤＩＣ（株）社製）
硬化助剤：２−エチル−４−メチルイミダゾール（２Ｅ４ＭＺ）
フィラー：シリカ（アエロジルＲＹ２００、日本アエロジル（株）社製）
【００７６】
＜実施例１＞
上記熱可塑性樹脂層（フィルム１）と、上記接着剤層（フィルム２）とをラミネートし、保護テープを作製した。フィルム１としては、ＰＥＴ基材（７５μｍ）と熱可塑性樹脂層Ａ１（５０μｍ）と熱可塑性樹脂層Ｂ１（４５０μｍ）とからなるものを用いた。フィルム２としては、接着剤層Ｎｏ．１（２０μｍ）を用いた。
【００７７】
＜実施例２＞
フィルム１として、ＰＥＴ基材（７５μｍ）と熱可塑性樹脂層Ａ２（５０μｍ）と熱可塑性樹脂層Ｂ１（４５０μｍ）とからなるものを用い、フィルム２として、接着剤層Ｎｏ．２（２０μｍ）を用いたこと以外は、実施例１と同様に保護テープを作製した。
【００７８】
＜実施例３＞
フィルム１として、ＰＥＴ基材（７５μｍ）と熱可塑性樹脂層Ａ３（５０μｍ）と熱可塑性樹脂層Ｂ１（４５０μｍ）とからなるものを用い、フィルム２として、接着剤層Ｎｏ．３（２０μｍ）を用いたこと以外は、実施例１と同様に保護テープを作製した。
【００７９】
＜実施例４＞
フィルム１として、ＰＥＴ基材（７５μｍ）と熱可塑性樹脂層Ａ１（５０μｍ）と熱可塑性樹脂層Ｂ２（４５０μｍ）とからなるものを用い、フィルム２として、接着剤層Ｎｏ．１（２０μｍ）を用いたこと以外は、実施例１と同様に保護テープを作製した。
【００８０】
＜実施例５＞
フィルム１として、ＰＥＴ基材（７５μｍ）と熱可塑性樹脂層Ａ１（５０μｍ）と熱可塑性樹脂層Ｂ３（４５０μｍ）とからなるものを用い、フィルム２として、接着剤層Ｎｏ．１（２０μｍ）を用いたこと以外は、実施例１と同様に保護テープを作製した。
【００８１】
＜実施例６＞
フィルム１として、ＰＥＴ基材（７５μｍ）と熱可塑性樹脂層Ａ１（２０μｍ）と熱可塑性樹脂層Ｂ１（４５０μｍ）とからなるものを用い、フィルム２として、接着剤層Ｎｏ．１（２０μｍ）を用いたこと以外は、実施例１と同様に保護テープを作製した。
【００８２】
＜実施例７＞
フィルム１として、ＰＥＴ基材（７５μｍ）と熱可塑性樹脂層Ａ１（２００μｍ）と熱可塑性樹脂層Ｂ１（４５０μｍ）とからなるものを用い、フィルム２として、接着剤層Ｎｏ．１（２０μｍ）を用いたこと以外は、実施例１と同様に保護テープを作製した。
【００８３】
＜実施例８＞
フィルム１として、ＰＥＴ基材（７５μｍ）と熱可塑性樹脂層Ａ１（５０μｍ）と熱可塑性樹脂層Ｂ１（３００μｍ）とからなるものを用い、フィルム２として、接着剤層Ｎｏ．１（２０μｍ）を用いたこと以外は、実施例１と同様に保護テープを作製した。
【００８４】
＜実施例９＞
フィルム１として、ＰＥＴ基材（７５μｍ）と熱可塑性樹脂層Ａ１（５０μｍ）と熱可塑性樹脂層Ｂ１（６００μｍ）とからなるものを用い、フィルム２として、接着剤層Ｎｏ．１（２０μｍ）を用いたこと以外は、実施例１と同様に保護テープを作製した。
【００８５】
＜実施例１０＞
フィルム１として、ＰＥＴ基材（５０μｍ）と熱可塑性樹脂層Ａ１（５０μｍ）と熱可塑性樹脂層Ｂ１（４５０μｍ）とからなるものを用い、フィルム２として、接着剤層Ｎｏ．１（２０μｍ）を用いたこと以外は、実施例１と同様に保護テープを作製した。
【００８６】
＜実施例１１＞
フィルム１として、ＰＥＴ基材（１００μｍ）と熱可塑性樹脂層Ａ１（５０μｍ）と熱可塑性樹脂層Ｂ１（４５０μｍ）とからなるものを用い、フィルム２として、接着剤層Ｎｏ．１（２０μｍ）を用いたこと以外は、実施例１と同様に保護テープを作製した。
【００８７】
＜実施例１２＞
フィルム１として、ＰＥＴ基材（７５μｍ）と熱可塑性樹脂層Ａ１（５μｍ）と熱可塑性樹脂層Ｂ１（４９５μｍ）とからなるものを用い、フィルム２として、接着剤層Ｎｏ．１（２０μｍ）を用いたこと以外は、実施例１と同様に保護テープを作製した。
【００８８】
＜実施例１３＞
フィルム１として、ＰＥＴ基材（７５μｍ）と熱可塑性樹脂層Ａ１（５０μｍ）と熱可塑性樹脂層Ｂ１（４５０μｍ）とからなるものを用い、フィルム２として、接着剤層Ｎｏ．２（２０μｍ）を用いたこと以外は、実施例１と同様に保護テープを作製した。
【００８９】
＜実施例１４＞
フィルム１として、ＰＥＴ基材（７５μｍ）と熱可塑性樹脂層Ａ１（２５０μｍ）と熱可塑性樹脂層Ｂ１（４５０μｍ）とからなるものを用い、フィルム２として、接着剤層Ｎｏ．１（２０μｍ）を用いたこと以外は、実施例１と同様に保護テープを作製した。
【００９０】
＜比較例１＞
フィルム１として、ＰＥＴ基材（７５μｍ）と熱可塑性樹脂層Ｂ１（５００μｍ）とからなるものを用い、フィルム２として、接着剤層Ｎｏ．１（２０μｍ）を用いたこと以外は、実施例１と同様に保護テープを作製した。
【００９１】
＜比較例２＞
フィルム１として、ＰＥＴ基材（７５μｍ）と熱可塑性樹脂層Ａ１（５００μｍ）とからなるものを用い、フィルム２として、接着剤層Ｎｏ．１（２０μｍ）を用いたこと以外は、実施例１と同様に保護テープを作製した。
【００９２】
［半導体装置の作製］
保護テープの接着剤層面を、はんだバンプ（φ＝２５０μｍ、Ｈ＝２００μｍ、ピッチ＝２５０μｍ）が形成されたウエハ（サイズ：５ｃｍ×５ｃｍ×７００μｍｔ）に貼り付け、真空式ラミネータを用いて６０℃の温度でラミネートした。
【００９３】
次に、グラインダ（製品名：ＤＦＧ８５６０、（株）ディスコ社製）にてウエハの厚みを３００μｍまでバックグラインド処理した。その後、接着剤層を残して保護テープを剥離し、他の層（ＰＥＴ基材及び熱可塑性樹脂層）を除去し、ウエハ上の接着剤層を１３０℃のオーブンで２時間硬化させた。そして、ウエハをダインシングし、チップに個片化した後、マウンターにて基板（フラックス付金電極）に搭載し、最大２６０℃のリフロー炉にてチップと基板とをはんだ接合させた。
【００９４】
［はんだ接合性の評価］
基板の金電極上にフラックスを塗布し、最大２６０℃のリフロー温度ではんだ接合した際に、バンプサイズの面積を１００％として、はんだが濡れ広がった面積を計測した。はんだが濡れ広がった面積が、バンプサイズの面積に対して４０％以上の場合をはんだ接合性が良好と評価し、４０％未満の場合をはんだ接合性が良好でないと評価した。実施例及び比較例の結果を下記表２及び表３に示す。
【００９５】
［ウエハ反りの評価］
保護テープの接着剤層面を、８インチのウエハ（厚み７２５μｍ）に貼り合わせ、ウエハ厚みを３００μｍまでバックグラインド処理した際のウエハの反り量を測定した。反り量が５ｍｍ以下の場合をウエハの反り量が小さいと評価し、５ｍｍを超える場合をウエハの反り量が大きいと評価した。実施例及び比較例の結果を下記表２及び表３に示す。
【００９６】
【表２】
0006599134.tif 000003
【００９７】
【表３】
0006599134.tif 000004
【００９８】
実施例１〜１４のように、接着剤層（接着剤層Ｎｏ．１〜Ｎｏ．３）と、第１の熱可塑性樹脂層（熱可塑性樹脂層Ａ１〜Ａ３）と、第２の熱可塑性樹脂層（熱可塑性樹脂層Ｂ１〜Ｂ３）と、基材フィルム層（ＰＥＴ基材）とをこの順に有し、上述した式（１）〜（３）の条件を満たす保護テープを用いた場合、はんだ接合性が良好であり、ウエハの反り量も小さいことが分かった。
【００９９】
特に、実施例１〜１２、実施例１４のように、上述した式（１）〜（３）の条件に加えて、上述した式（４）の条件を満たす保護テープを用いた場合、はんだ接合性がより良好であることが分かった。
【０１００】
比較例１のように、第１の熱可塑性樹脂層を有しない保護テープを用いた場合、はんだ接合性が良好ではないことが分かった。これは、保護テープが、相対的に柔らかい第２の熱可塑性樹脂層（熱可塑性樹脂層Ｂ１）のみを有しており、第２の熱可塑性樹脂と比較して硬い第１の熱可塑性樹脂層を有していないため、第２の熱可塑性樹脂層がバンプに付着しやすくなった結果と考えられる。
【０１０１】
比較例２のように、第２の熱可塑性樹脂層を有しておらず、上述した式（３）の条件、すなわち、弾性率補正値が１．４Ｅ＋０６Ｐａを超える保護テープを用いた場合、ウエハ反り量が大きいことが分かった。これは、保護テープが、相対的に硬い第１熱可塑性樹脂層のみを有しており、第１の熱可塑性樹脂層よりも柔らかい第２の熱可塑性樹脂層を有していないため、ウエハのバックグラインド処理時にウエハ反りが生じやすくなった結果と考えられる。
【符号の説明】
【０１０２】
１０  保護テープ、１１  接着剤層、１２  第１の熱可塑性樹脂層、１３  第２の熱可塑性樹脂層、１４  基材フィルム層、２１  ウエハ、２２  バンプ、３０  粘着テープ、３１  粘着剤層、３２  基材フィルム層
【図１】
0006599134.tif 000005
【図２】
0006599134.tif 000006
【図３】
0006599134.tif 000007
【図４】
0006599134.tif 000008
【図５】
0006599134.tif 000009
【図６】
0006599134.tif 000010
【図７】
0006599134.tif 000011
【図８】
0006599134.tif 000012
【図９】
0006599134.tif 000013
【図１０】
0006599134.tif 000014